(57)【要約】【課題】機構板裏面の組付スペースの拡大を図ると共に上球皿をできるだけ下方へ下げられるようにしてできる限りの遊技盤の拡大を可能としたパチンコ遊技機を提供する。【解決手段】前面枠２の一側に球払出装置２３から払い出されるパチンコ球を該前面枠２の前側へ排出する球排出口２６が開設され、前面枠２の下部前面に球排出口２６と連通する上球皿１３を装着した前板１４が軸着されるパチンコ遊技機Ｐであって、前板１４と向い合う前面枠２の下部前面に窪み部２５を成形し、前記球排出口２６と隣接する位置に上球皿１３から溢れるパチンコ球を前面枠２の前側に排出させる溢出口３６を設け、また、前記窪み部２５内に前板１４と該窪み部２５の後側壁２５ａとの間に位置して溢れる前記パチンコ球を貯留する球貯留ボックス２８を配置した。【選択図】図２
2005319218.tif 000002
【特許請求の範囲】
【請求項１】
遊技盤が設置される前面枠の一側に球払出装置から払い出されるパチンコ球を該前面枠の前側へ排出する球排出口が開設され、前記前面枠の下部前面に前板が軸着され、前記前板の前面に前記球排出口と連通し該球排出口から排出されかつ打球発射部へ供給されるパチンコ球を貯留する上球皿が装着されたパチンコ遊技機であって、
前記前板と向い合う前記前面枠の下部前面に後方へ窪む窪み部を成形し、前記窪み部の上寄りであって前記球排出口と隣接する位置に前記上球皿から溢れるパチンコ球を前記前面枠の前側に排出させる溢出口を設け、また、前記窪み部に前記前板と該窪み部の後側壁との間に位置して前記溢出口から排出されるパチンコ球を受け入れて貯留する球貯留ボックスを配置したことを特徴とするパチンコ遊技機。
【請求項２】
前記球貯留ボックスに、前記打球発射部から前記遊技盤面に発射されるも前記打球発射部側へ逆戻りしたパチンコ球を排出するファール球排出通路と前記上球皿に貯留されるパチンコ球を球抜きのため排出する球通路とが接続される請求項１記載のパチンコ遊技機。
【請求項３】
前記球貯留ボックスの前面に該球貯留ボックス内のパチンコ球をパチンコ遊技機の外に球抜きするための球抜樋が設けられ、前記前板の下方であって前記前面枠の前面下部に下部前板を軸着すると共にその前面に前記球抜樋を覆うようにしてスピーカを内蔵したスピーカボックスが装着される請求項１又は２記載のパチンコ遊技機。
【発明の詳細な説明】
【技術分野】
【０００１】
本発明は、遊技盤が設置される前面枠内に球貯留ボックスを配置し、該球貯留ボックスに上球皿から溢れるパチンコ球を貯留するようにしたパチンコ遊技機に関するものである。
【背景技術】
【０００２】
従来のパチンコ遊技機は、例えば、遊技盤が設置される前面枠の上部前面に遊技盤の前面を覆う透明板保持枠が軸着され、その下部前面には前板が軸着されており、該前板の前面に打球発射部へ供給されるパチンコ球を貯留する上球皿と該上球皿から溢れるパチンコ球を貯留する下球皿とが装着されている（特許文献１参照。）。一方、前面枠の裏面には、遊技盤の裏面を覆うようにして機構板が装着されている。この機構板には、球タンクからのパチンコ球を供給する球払出装置が装着され、この球払出装置の下方に該球払出装置から払い出されたパチンコ球を上球皿に導く球払出樋が設けられている。また、この球払出樋と連なるようにして上球皿から溢れるパチンコ球を下方の下球皿に導く溢れ球排出樋が配設されている（特許文献２参照。）。
【特許文献１】特開２００２−１９１８１７号公報（第２−３頁、図１）
【特許文献２】特開平８−２５２３６８号公報（第３−４頁、図１）
【発明の開示】
【発明が解決しようとする課題】
【０００３】
しかしながら、機構板の裏側特にその下部は、球払出装置から延設される球払出樋、更には溢れ球排出樋、アウト球を排出するアウト球樋、入賞球を排出する入賞球樋など多くの樋が複雑に入り組んでいる。中でも、前面枠の下部前面の略中央に下球皿が装着されている関係上、前記溢れ球排出樋は上部から下部に亘って伸び大きな面積を占めている。このため、他の樋の組み付けに苦慮しているのが現状である。
【０００４】
ところで、近年、第二種すなわちフィーバータイプのパチンコ遊技機にあっては、遊技盤の中央に装着され数字、図柄等の情報を変動表示する可変表示装置が、遊技の興趣を増大させる狙いから大型化する傾向にあり、これに伴い、遊技盤も大型化しつつある。このように可変表示装置や遊技盤が大型化すると、遊技盤裏側に装着され遊技内容を制御する中央制御基板も大型化することになる。しかしながら、遊技盤が大型化するということは、遊技盤を下方へ伸ばす必要があるが、その下方には前面枠の前面に上球皿と下球皿がそれぞれ上下に装着されていることから、遊技盤の下方への拡大も限界がある。
【０００５】
そこで、本発明は上記課題を解決すべくなされたもので、前面枠の前面下部に窪み部を成形すると共にその窪み部に上球皿から溢れるパチンコ球を貯留するようにして、機構板裏面の各樋の組付スペースの拡大を図り、また、上球皿をできるだけ下方へ下げられるようにしてできる限りの遊技盤の拡大を可能としたパチンコ遊技機を提供することを目的とするものである。
【課題を解決するための手段】
【０００６】
かかる目的を達成するため本発明に係るパチンコ遊技機は、遊技盤が設置される前面枠の一側に球払出装置から払い出されるパチンコ球を該前面枠の前側へ排出する球排出口が開設され、前記前面枠の下部前面に前板が軸着され、該前板の前面に球排出口と連通し該球排出口から排出されかつ打球発射レールの打球発射部へ供給されるパチンコ球を貯留する上球皿が装着されたパチンコ遊技機であって、前記前板と向い合う前面枠の下部前面に後方へ窪む窪み部を成形し、該窪み部の上寄りであって前記球排出口と隣接する位置に上球皿から溢れるパチンコ球を前面枠の前側に排出させる溢出口を設け、また、前記窪み部に前板と該窪み部の後側壁との間に位置して溢出口から排出されるパチンコ球を受け入れて貯留する球貯留ボックスを配置した構成からなる。
【０００７】
この場合、前記球貯留ボックスに、打球発射部から遊技盤面に発射されるも打球発射部側へ逆戻りしたパチンコ球を排出するファール球排出通路と前記上球皿に貯留されるパチンコ球を球抜きのため排出する球通路とを接続することが好ましい。
【０００８】
また、いずれの場合も、前記球貯留ボックスの前面に該球貯留ボックス内のパチンコ球をパチンコ遊技機の外に球抜きするための球抜樋が設けられ、前記前板の下方であって前面枠の前面下部に下部前板を軸着すると共にその前面に前記球抜樋を覆うようにしてスピーカを内蔵したスピーカボックスを装着することが好ましい。
【発明の効果】
【０００９】
本発明に係る請求項１記載のパチンコ遊技機は、前面枠の下部前面に成形される窪み部の上寄りに球排出口と隣接して溢出口を設け、また、窪み部に前板と該窪み部の後側壁との間に位置して溢出口から排出されるパチンコ球を受け入れて貯留する球貯留ボックスを配置するようにしたので、従来のように機構板裏側の溢れ球排出樋がなくなり、その分前面枠の裏面に組付スペースの空きができ、各種樋ばかりでなく例えば配線基板を装着できるなど、組付の自由度が増すという効果がある。また、前面枠の下部前面には、従来の下球皿が不要になり、上球皿を下方へ下げられる余裕ができることから、遊技盤の拡大が余裕を持って行なえ、これによりスケールの大きい盤面ゲージが可能となって、遊技の興趣が一段と高められるという効果がある。
【００１０】
また、請求項２記載のパチンコ遊技機は、球貯留ボックスにファールとなったパチンコ球を排出するファール球排出通路と上球皿に貯留されるパチンコ球を球抜きのため排出する球通路とを接続するようにしたので、これらパチンコ球が一箇所に集められ、処理し易いという効果がある。
【００１１】
更に、請求項３記載のパチンコ遊技機では、貯留ボックスの前面に該球貯留ボックス内のパチンコ球をパチンコ遊技機の外に球抜きするための球抜樋を設け、前板の下方であって前面枠の前面下部に、下部前板を軸着すると共にその前面に球抜樋を覆うようにしてスピーカを内蔵したスピーカボックスを装着したので、遊技者のすぐ前にスピーカボックスが位置してゲームの効果音を直に聞けて迫力が有り、しかも、デザイン的にも斬新であって商品価値が高められるという効果がある。
【発明を実施するための最良の形態】
【００１２】
以下、本発明に係るパチンコ遊技機の実施の形態を図面に基づき説明する。図１は本発明に係るパチンコ遊技機の前面斜視図、図２は同透明板保持枠と前板と下部前板を開き球貯留ボックスを外した状態の斜視図、図３は同裏面図である。パチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２は合成樹脂製であってその上部中央に略円形の窓開口４が開設される。前面枠２の裏側に設置される遊技盤５前面の遊技部５ａが、外側・内側ガイドレール６ａ，６ｂに囲われるようにして前記窓開口４に臨むようになっている。遊技盤５の遊技部５ａには、数字、図柄等の情報が変動表示される可変表示装置７、パチンコ球の入賞によって該可変表示装置７を作動させる始動入賞口８、前記可変表示装置７が特定の表示に揃ったとき一定の条件で一度に多くの入賞球としてのパチンコ球が得られる入賞装置９、一般入賞口１０といった盤面部品が装着されている。
【００１３】
前面枠２の上部前面に、遊技盤５前面の遊技部５ａを覆い２枚の透明板としてのガラス板１１を平行に配置した透明板保持枠１２が開閉自在に軸着される。また、前面枠２の下部前面に前記透明板保持枠１２の下方に位置して上球皿１３が装着される前板１４と、その下方に位置してスピーカーボックス１５が装着される下部前板１６とが、いずれもその一側上下部を前面枠２の一側に所定の間隔離して設けた複数の軸支部に軸支して回動自在に装着される。
【００１４】
前面枠２の裏側には、遊技盤５の裏面を覆うようにして合成樹脂製の機構板１７が回動自在に装着される。機構板１７の中央に、遊技盤５の裏面に取り付けられ遊技盤５の裏側へ入賞球として排出されるパチンコ球を集め下方へ導く入賞球集合カバー１８が臨む開口１９が開設される。機構板１７の裏面には、前記開口１９を囲うようにその上部に球タンク２０が配置され、その下方にタンクレール２１が配置されると共にその流下端にカーブレール２２を介して球払出装置２３が配設されている。球払出装置２３の下方に、その球払出装置２３から排出されるパチンコ球を前記上球皿１３に導くための球払出樋２４が設けられる。
【００１５】
前面枠２の下部前面は、前記前板１４及び下部前板１６と向い合う部位が後方へ窪ませてある。そして、その窪み部２５の一側上寄りに前記球払出樋２４の下端と連通する球排出口２６が開設され、この球排出口２６が前板１４側の連絡通路２７を介して上球皿１３に連通している。また、前面枠２の軸支部３側に寄せて窪み部２５内に上球皿９から溢れるパチンコ球を貯留する球貯留ボックス２８が配置される。
【００１６】
また、窪み部２５の他側には、その後側壁２５ａ前面に打球発射レール２９が装着される。該打球発射レール２９の先端は前記外側ガイドレール６ｂの基端部にファール球排出通路３０を介して連なっている。また、打球発射レール２９の打球発射部３１には駆動モータ３２により往復回動して打球発射部３１の位置にあるパチンコ球を打球して発射させる打球槌３３が臨んでいる。打球槌３３の前側は前面枠２に取り付けられる囲い板３４により囲われ、その前面に操作ハンドル３５が装着されており、その回動量を調節することによって前記打球槌３３の打球力が調節できるようになっている。
【００１７】
そして、図４、図５に示すように前記窪み部２５の同じく上寄りであって球排出口２６と隣接する位置に、上球皿１３から溢れるパチンコ球を前面枠２の前側に排出させる溢出口３６が設けられている。すなわち、球払出樋２４の内壁一側に溢れ球口３７が開設され、該溢れ球口３７は溢出口３６と連なる溢れ球排出樋３８と連通している。これにより、上球皿１３から溢れたパチンコ球は、溢れ球口３７を介して溢れ球排出樋３８内に流入して導かれ、流下端の溢出口３６から球貯留ボックス２８内に受け入れられる。
【００１８】
球貯留ボックス２８は、図６に示すように前記窪み部２５内に納まる厚みを有し、後面と上面が開放した合成樹脂製の箱体からなる。そして、球貯留ボックス２８は、前覆い板２８ａ裏面の一側に縦長方形枠３９が一体に設けられ、該縦長方形枠３９とこれと対向する横覆い板２８ｂとの間に前記溢出口３６と対応して上面が開放する縦通路４０が成形される。また、前覆い板２８ａの他側に、該前覆い板２８ａから後方へ突出する第一受板４１と第二受板４２とが上下に所定の間隔離してほぼ平行に配置されている。第一・第二受板４１，４２は、共に縦長方形枠３９側にやや下傾しており、しかも、左右に位置がずらせてある。
【００１９】
そして、図４に示すように縦通路４０に落下したパチンコ球はそのまま下方へ導かれる。また、第一・第二受板４１，４２上面に落下したパチンコ球は、それぞれ第一・第二受板４１，４２の上面を流下して各流下端から下方へ落下する。前覆い板２８ａの裏面下部には、前記それぞれのパチンコ球が寄せ集められる底覆い板２８ｃが張設されている。前記縦長方形枠３９には縦通路４０側に透口４３が開設され、該透口４３の上端に該透口４３を塞ぐようにして揺動板４４が軸着されている。この揺動板４４は、球貯留ボックス２８内に溜まるパチンコ球の球量を検知するためのものであり、常にはその下部が透口４３から縦通路４０側に張り出している。また、縦長方形枠３９内には、揺動板４４と対向位置してリミットスイッチ４５が配置され、揺動板４４がパチンコ球に押されて内側へ揺動したとき、それを電気的に検知するようになっている。
【００２０】
前覆い板２８ａには、その前面下部のほぼ中央に前方へ水平に突出する張出部４６が設けられる。この張出部４６の内部に図７に示すように球抜樋４７が成形され、前覆い板２８ａに開設された送出口４８を介して前記底覆い板２８ｃと球抜樋４７とが連なっている。球抜樋４７の前端底部に球抜口４９が開設され、該球抜口４９にスライドして球抜口４９を開閉するシャッター板５０が設けられている。このシャッター板５０は、スプリングなどの弾発手段によって常に球抜口４９を塞ぐように付勢され、シャッター板５０に一体に設けられた摘み５１を持ち弾発手段に抗して該シャッター板５０をスライドさせることにより、球抜口４９が開口できるようになっている。
【００２１】
また、前覆い板２８ａの外周縁に沿って複数のネジ挿通孔５２が設けられ、窪み部２５の後側壁２５ａにはこれらネジ挿通孔５２と対応位置して先端にネジ孔５３ａが設けられたボス３５が複数配置される。そこで、窪み部２５内に球貯留ボックス２８をその裏面側から収納し、各ネジ挿通孔５２を介して各ネジ孔５３ａにネジ５４を螺子締めすることにより球貯留ボックス２８が配置固定される。
【００２２】
この状態では、溢出口３６から排出されるパチンコ球は縦通路４０内に落下する。また、外側ガイドレール６ｂの上面を逆戻りするファール球としてのパチンコ球はその基端部からファール球排出通路３０内に排出され第一受板４１上面に落下する。更に、上球皿１３から球抜きされるパチンコ球は、上球皿１３の球貯留部１３ａと連なる整流通路１３ｂの流下端の底面に開設されかつ底板５５により開閉される落下口５６から球送り通路５７に落下し、その流下端であって前板１４に開設された連絡口５７ａから第二受板４２の上面に落下することになる。
【００２３】
前板１４を閉じた場合、球貯留ボックス２８の前面上部は該前板１４により覆われるが、その下部の張出部４６は覆われることなく前板１４の下方から前方へ突出して露出する。この張出部４６は下部前板１６に装着されるスピーカボックス１５により覆われる。
【００２４】
スピーカボックス１５は、合成樹脂製であって下部前板１６の前面に前方へ膨出するようにして一体に成形される。このスピーカボックス１５は下部前板１６の位置で後面が開放すると共に内部が中空状に成形される。そして、スピーカボックス１５の左右側に斜め上を向いた透音孔５８，５８がそれぞれ開設される。これらと対応してその内部にそれぞれスピーカ５９，５９が配置される。各スピーカ５９は、図８に示すように先端側の円錐形状フレーム５９ａにその後側から環状の支持枠６０が冠着されると共にその前側から前記円錐形状フレーム５９とほぼ同じ大きさの固定リング６１が嵌められている。支持枠６０の外周縁の所定位置に複数のネジ挿通孔６２が設けられ、スピーカボックス１５の内周面には各透音孔５８の周囲に前記各ネジ挿通孔６２に対応して先端にネジ孔６３を有するボス６４が突設されている。
【００２５】
そして、各ネジ孔６３にネジ挿通孔６２を合致させ、各ネジ挿通孔６２を介して各ネジ孔６３にネジ６５を螺子締めすることにより各スピーカ５９が取り付けられる。下部前板１６が閉められたとき、スピーカボックス１５内に前記張出部４６が介在し外側からは見えないようになっている。また、前記シャッター板５０を作動させる摘み５１はスピーカボックス１５の下側から前方へ突出している。遊技者がパチンコ遊技機Ｐの前面に座って位置したとき、前記両透音孔５８，５８が腰の前方に位置し、しかも、前側に下傾していることから、各スピーカ５９から出される音が遊技者に直に伝わり迫力が有って高い音響効果が得られる。
【００２６】
本発明は上記構成からなり、例えば、遊技中に可変表示装置７が大当たり状態となり、入賞装置９が開いてその入賞装置９にパチンコ球が入賞すると、球払出装置２３が動作して多くのパチンコ球が賞球として払い出される。これらパチンコ球は、球払出樋２４に導かれて球排出口２６を介して上球皿１３に貯留される。そして、上球皿１３がパチンコ球で一杯になりパチンコ球が溢れるようになると、この溢れたパチンコ球は球排出口２６内側の溢れ球口３７から溢れ球排出樋３８に流入し、更に、該溢れ球排出樋３８に導かれて溢出口３６から前面枠２の前面側、すなわち、球貯留ボックス２８の縦通路４０内に落下して貯留される。
【００２７】
また、この間、打球発射部３１から発射されたパチンコ球であって運悪く遊技盤５の遊技部５ａに達せず、逆戻りしたファール球としてのパチンコ球はファール球排出通路３０に落下して第一受板４１に受け止められてその流下端から下方へ落下する。一方、遊技終了後に上球皿１３内にパチンコ球が残っている場合は、上球皿１３に設けられる球抜きレバー（図示せず。）を操作することにより、上球皿１３の整流通路１３ｂ流下端の底板５５がスライドすると共に落下口５６が開放する。そして、落下口５６内に流入したパチンコ球は、球送り通路５７内を流下し連絡口５７ａ介して第二受板４２の上面に受け止められ、同様にその流下端から下方へ落下する。
【００２８】
このようにして球貯留ボックス２８内にパチンコ球が一定量以上に溜まると、揺動板４４がパチンコ球に押されて内側へ揺動し、これに伴いリミットスイッチ４５が作動して例えば駆動モータ３２の回転を停止させる。これにより、遊技者は球貯留ボックス２８内にパチンコ球が必要以上に貯留されていることを知る。そこで、摘み５１を作動してシャッター板５０をスライドさせれば、球抜口４９が開放されスピーカボックス１５下面の球通孔６８を介して球抜きできる。
【００２９】
ところで、本実施の形態では、図３に示すように機構板１７の裏側下部に、各入賞口またはアウト球排出口から遊技盤５の裏面に入賞球として排出されるパチンコ球とアウト球としてのパチンコ球を集合させる球集合樋６６が設けられ、その中央に下端が開放し前記球集合樋６６内のパチンコ球をパチンコ遊技機Ｐの外側へ排出する球放出樋６７が設けられている。そこで、その両側部位であって前面枠２の裏側に自由な組付スペースＳ，Ｓが成形され、それら組付スペースＳ，Ｓに配線基板６８が装着されている。
【００３０】
このように、本発明は、前面枠２の下部前面に成形される窪み部２５の上寄りに球排出口２６と隣接して溢出口３６を設け、また、窪み部２５に前板１４と該窪み部２５の後側壁２５ａとの間に位置して溢出口３６から溢れ球として排出されるパチンコ球を受け入れて貯留する球貯留ボックス２８を配置するようにしたので、従来のように機構板１７裏側の溢れ球排出樋がなくなり、その分前面枠２の裏面に組付スペースの空きができ、各種樋ばかりでなく例えば配線基板を装着できるなど組付の自由度が増すことになる。
【００３１】
また、前面枠２の下部前面には従来の下球皿が不要になり、上球皿１３を下方へ下げられる余裕ができることから、遊技盤５の拡大が余裕を持って行なえ、これによりスケールの大きい盤面ゲージが可能となり、遊技の興趣が一段と高められる。
【図面の簡単な説明】
【００３２】
【図１】本発明に係るパチンコ遊技機の前面斜視図。
【図２】同透明板保持枠と前板と下部前板を開き球貯留ボックスを外した状態の斜視図。
【図３】同裏面図。
【図４】前板と下部前板を外したパチンコ遊技機の正面図。
【図５】図４のＸ−Ｘ線断面図。
【図６】球貯留ボックスの裏面斜視図。
【図７】パチンコ遊技機の一部の縦断面図。
【図８】スピーカボックスの拡大断面図。
【符号の説明】
【００３３】
２                    前面枠
５                    遊技盤
１３                  上球皿
１４                  前板
２３                  球払出装置
２５                  窪み部
２５ａ                後側壁
２６                  球排出口
２８                  球貯留ボックス
２９                  打球発射レール
３０                  ファール球排出通路
３１                  打球発射部
３６                  溢出口
４７                  球抜樋
Ｐ                    パチンコ遊技機
【図１】
2005319218.tif 000003
【図２】
2005319218.tif 000004
【図３】
2005319218.tif 000005
【図４】
2005319218.tif 000006
【図５】
2005319218.tif 000007
【図６】
2005319218.tif 000008
【図７】
2005319218.tif 000009
【図８】
2005319218.tif 000010